(57)【要約】【課題】  ＢＩＯＳのセットアップを迅速に実行可能であるとともに、ＢＩＯＳの設定に関するセキュリティ性を向上させた情報処理装置を提供すること。【解決手段】  各種情報を表示する表示部と、この表示部の表示面上に設置され、接触操作に応じた入力を行うタッチパネルとを備えた情報処理装置において、ＰＯＳＴプログラムの実行画面が表示部の表示面に表示された状態で、所定時間以上継続してタッチパネルからの入力がなされた場合にＢＩＯＳのセットアッププログラムを実行する。【選択図】  図３
2010250614.tif 000002
【特許請求の範囲】
【請求項１】
各種情報を表示する表示部と、この表示部の表示面上に設置され、接触操作に応じた入力を行うタッチパネルとを備えた情報処理装置において、
システムの起動処理を実行するＢＩＯＳ（Basic Input/Output）を記憶したＢＩＯＳ記憶手段と、
前記ＢＩＯＳによる起動処理の実行中に前記タッチパネルからの入力が検知されたことに応じて前記ＢＩＯＳのセットアッププログラムを実行するセットアッププログラム実行手段と、
を備えていることを特徴とする情報処理装置。
【請求項２】
前記ＢＩＯＳは、ＰＯＳＴ（Power-On Self Test）プログラムを有し、
前記セットアッププログラム実行手段は、前記ＰＯＳＴプログラムの実行画面が前記表示部の表示面に表示されている間に前記タッチパネルからの入力が検知されたことに応じて前記ＢＩＯＳのセットアッププログラムを実行することを特徴とする請求項１に記載の情報処理装置。
【請求項３】
前記ＢＩＯＳによる起動処理の実行中に前記タッチパネルからの入力が検知されたことに応じて当該入力の継続時間を計時する計時手段と、
この計時手段による計時時間と対比すべき設定時間を記憶した設定時間記憶手段とをさらに備え、
前記セットアッププログラム実行手段は、前記計時手段による計時時間が前記設定時間記憶手段に記憶された設定時間に達したことに応じて前記ＢＩＯＳのセットアッププログラムを実行することを特徴とする請求項１に記載の情報処理装置。
【請求項４】
前記ＢＩＯＳによる起動処理の実行中に前記タッチパネルからの入力が検知されたことに応じてパスワードの入力受付画面を前記表示部の表示面に表示し、前記タッチパネルの接触操作によるパスワードの入力を受け付けるパスワード受付手段と、
このパスワード受付手段により入力を受け付けたパスワードと対比すべきパスワードを記憶したパスワード記憶手段とをさらに備え、
前記セットアッププログラム実行手段は、前記パスワード受付手段が受け付けたパスワードが前記記憶手段に記憶されたパスワードと一致する場合、前記ＢＩＯＳのセットアッププログラムを実行することを特徴とする請求項１に記載の情報処理装置。
【発明の詳細な説明】
【技術分野】
【０００１】
本発明は、タッチパネル付きの表示器を備え、ＢＩＯＳの制御下にてＯＳが起動される情報処理装置に関する。
【背景技術】
【０００２】
従来、パーソナルコンピュータなどの情報処理装置におけるシステム起動処理は、ＢＩＯＳ（Basic Input/Output System）と呼ばれる基本プログラムの制御下で実行されている。ＢＩＯＳによる起動処理では、ＰＯＳＴ（Power-On Self Test）と呼ばれるテストプログラムにて各デバイスの異常診断や初期化が行われた後、ＯＳ（Operating System）が呼び出される。（例えば、特許文献１を参照）
このＢＩＯＳ自体の設定を行うには、パーソナルコンピュータと同様に、電源立ち上げ直後のＰＯＳＴ（Power-On Self Test）画面にて、周辺機器の一つであるキーボードに設けられた所定キーを押下する。これに応じてＢＩＯＳのセットアッププログラムが実行され、セットアップを行うための画面が表示される。
【発明の概要】
【発明が解決しようとする課題】
【０００３】
近年、商品販売店舗にて会計処理に使用されるＰＯＳ（Point Of Sales）端末などの特定用途に用いられる情報処理装置においても、パーソナルコンピュータと同様にＢＩＯＳの制御下にてシステムの起動処理が実行され、各デバイスの異常診断や初期化およびＯＳの呼び出しが行われている。
【０００４】
かかる情報処理装置の中には、入力装置としてキーボードを備えず、オペレータによる操作入力をタッチパネル付きのディスプレイに依存するタイプのものがある。このタイプの情報処理装置に対してＢＩＯＳのセットアップを行うためには、該装置が備える周辺機器接続ポートなどの通信インターフェイスに機械式のキーボードを接続し、既述の如く所定キーを押下することでＢＩＯＳのセットアップ画面を表示させている。
【０００５】
しかしながら、急遽ＢＩＯＳのセットアップが必要になった場合などに専用のキーボードが用意されていないならば設定完了までに相当の時間を要する。したがって、ＰＯＳ端末を商品販売業務に使用できずに顧客への対応が大幅に遅れてしまう蓋然性がある。
【０００６】
また、ＰＯＳ端末は、店舗の売り上げ情報や顧客情報など機密性の高い情報を扱う上に不特定の者が出入りする店舗で使用されるものであるため、ＢＩＯＳのセットアップのような重要度の高い設定に関するセキュリティを充実させる必要性がある。
【０００７】
しかしながら、通常のパーソナルコンピュータと同様にキーボードの単純な操作によりＢＩＯＳのセットアップ画面が表示されるのではセキュリティ面にて十分であるとは言えない。
【０００８】
本発明は、このような事情に基づいてなされたものであり、その目的は、ＢＩＯＳのセットアップを迅速に実行可能であるとともに、ＢＩＯＳの設定に関するセキュリティ性を向上させた情報処理装置を提供することである。
【課題を解決するための手段】
【０００９】
本発明は、各種情報を表示する表示器と、この表示器の表示面上に設置され、接触操作に応じた入力を行うタッチパネルとを備えた情報処理装置において、システムの起動処理を実行するＢＩＯＳ（Basic Input/Output）を記憶したＢＩＯＳ記憶手段と、前記ＢＩＯＳによる起動処理の実行中に前記タッチパネルからの入力が検知されたことに応じて前記ＢＩＯＳのセットアッププログラムを実行するセットアッププログラム実行手段とを備えていることを特徴としている。
【発明の効果】
【００１０】
かかる手段を講じた本発明によれば、ＢＩＯＳのセットアップを迅速に実行可能であるとともに、ＢＩＯＳの設定に関するセキュリティ性を向上させた情報処理装置を提供することができる。
【図面の簡単な説明】
【００１１】
【図１】本発明の一実施形態におけるＰＯＳ端末の要部構成を示すブロック図。
【図２】同実施形態におけるＢＩＯＳ−ＲＯＭのデータ構造を示す模式図。
【図３】同実施形態における起動処理の流れ図。
【図４】同実施形態におけるＰＯＳＴ画面の一例を示す模式図。
【図５】同実施形態におけるパスワード認証処理の流れ図。
【図６】同実施形態におけるＳ／Ｗキーボードの一例を示す模式図。
【発明を実施するための形態】
【００１２】
以下、本発明を実施するための一実施形態について図面を参照しながら説明する。なお、本実施形態は、本発明を商品販売店舗のレジなどに設置され、取引の会計処理に使用されるＰＯＳ端末に適用した場合である。
【００１３】
図１は、情報処理装置であるＰＯＳ端末１の要部構成を示すブロック図である。ＰＯＳ端末１は、制御の中枢として機能するＣＰＵ（Central Processing Unit）２を搭載している。そして、ＣＰＵ２に対し、ＢＩＯＳ−ＲＯＭ（Basic Input/Output System - Read Only Memory）３、ＲＯＭ（Read Only Memory）４、ＲＡＭ（Random Access Memory）５、タイマ６、通信インターフェイス（Ｉ／Ｆ）７、表示コントローラ８、タッチパネルコントローラ９、およびハードディスクドライブコントローラ（ＨＤＤ）１０をアドレスバスやデータバスなどのバスライン１１を介して接続してＰＯＳ端末の制御回路が構成されている。
【００１４】
ＲＯＭ４は、ＰＯＳ端末１の基本動作に必要な制御プログラムなどの固定的データを記憶している。ＲＡＭ５は、処理場面に応じて各種の作業用記憶エリアを形成する。タイマ６は、ＣＰＵ２からの指令に応じて所定時間を計時する。通信インターフェイス７は、通信ケーブル１２を介して接続された機器とのデータ通信を制御する。
【００１５】
表示コントローラ８は、タッチパネル付き表示器１３の表示部１４を接続し、該表示部１４を制御して各種情報を選択的に表示せしめる。表示部１４には、ＣＲＴ（Cathode Ray Tube）やＬＣＤ（Liquid Crystal Display）などを採用し得る。タッチパネルコントローラ９は、タッチパネル付き表示器１３のタッチパネル１５を接続し、該タッチパネル１５がタッチ操作された位置に応じて出力する電気信号に基づいて操作位置座標を算出し、算出した操作位置座標をＣＰＵ２に通知する。ハードディスクドライブコントローラ１０は、ＯＳファイルやアプリケーションファイルを記憶したハードディスクドライブ（ＨＤＤ）１６を接続し、該ドライブ１６からのデータの読出し／書込みを制御する。
【００１６】
ＢＩＯＳ記憶手段であるＢＩＯＳ−ＲＯＭ３は、ＢＩＯＳのアップデートやセットアップに対応するためにフラッシュＲＯＭなどの書き換え可能な不揮発性メモリで構成されている。図２は、ＢＩＯＳ−ＲＯＭ３のデータ構造を示す模式図である。ＢＩＯＳ−ＲＯＭ３は、ＰＯＳＴ３２やセットアッププログラム３３を含むＢＩＯＳ３０の記憶領域と、パスワード設定エリア３４やタップ時間設定エリア３５を含むセキュア領域３１とを有している。
【００１７】
ＰＯＳＴ３２は、ＢＩＯＳ３０が各ハードウェアの異常診断および初期化を行う際に実行するテストプログラムである。セットアッププログラム３３は、ＢＩＯＳ３０に関する各種セットアップの実行プログラムである。セットアッププログラム３３により実行されるセットアップは、例えば、各部に供給される電源の管理、システム日付の管理、動作クロック、周辺機器への供給電源の管理、オンボードデバイスのコントロール、およびパワーマネジメントに関する設定である。
【００１８】
セキュア領域３１は、データの読み出し／書き込みに特別な手順が必要な領域である。したがって、ユーザやアプリケーションは、セキュア領域３１に記憶されたデータを自由に参照したり変更したりすることができない。パスワード設定エリア３４は、セットアッププログラム３３を実行するために必要なパスワードが設定される領域であり、本実施形態におけるパスワード記憶手段として機能する。タップ時間設定エリア３５は、ＰＯＳＴ３２の実行画面が表示された状態からセットアッププログラムを実行する際にユーザがタッチパネル１５を押下すべき時間が設定される領域であり、本実施形態における設定時間記憶手段として機能する。
【００１９】
次に、上記の如く構成された当該ＰＯＳ端末１の起動処理について説明する。  
ユーザが本体に設けられた電源釦（不図示）を切り替えてＰＯＳ端末１に動作電源が投入されたとき、ＣＰＵ２は、ＢＩＯＳ−ＲＯＭ３からＢＩＯＳ３０を読み出して実行し、システムの起動処理を開始する。図３は、システムの起動処理においてＣＰＵ２が実行する処理の流れ図である。
【００２０】
先ず、ＣＰＵ２は、ＰＯＳＴ３２による動作を開始する（ＳＴ１０１）。このとき、ＰＯＳＴ３２の制御下にて、ＣＰＵ２、ＲＯＭ４、ＲＡＭ５、表示コントローラ８、タッチパネルコントローラ９、表示部１４、およびタッチパネル１５などの基本デバイスの異常診断および初期化処理が行われる（ＳＴ１０２）。基本デバイスの異常診断および初期化処理が正常に終了した場合、ＣＰＵ２は、表示コントローラ８を介して表示部１４を制御し、図４に示したＰＯＳＴ３２の実行画面であるＰＯＳＴ画面４０を表示する（ＳＴ１０３）。当該画面４０には、異常診断および初期化が完了したデバイスに関する情報などが表示される。
【００２１】
さらに、ＲＡＭ５にフラグＦを形成してその値を“０”にセットする（ＳＴ１０４）。しかる後、ＣＰＵ２は、未だ異常診断および初期化処理が完了していないデバイスに対する異常診断および初期化処理を開始する（ＳＴ１０５）。なお、当該処理にて異常診断および初期化処理が実行されるデバイスには、図１にて図示していないオンボードデバイスや外部デバイスなど種々のデバイスが含まれる。
【００２２】
次に、ＣＰＵ２は、ＰＯＳＴ画面４０が表示されている間にユーザによりタッチパネル１５が押下されたか否かを判断する（ＳＴ１０６）。ユーザがタッチパネル付き表示器１３に表示されたＰＯＳＴ画面４０を押下している場合、タッチパネル１５が当該押下を検知してタッチパネルコントローラ９を介してＣＰＵ２に通知される。この通知がない場合、ＣＰＵ２は、タッチパネル１５が押下されていないと判断し（ＳＴ１０６のＮｏ）、各デバイスの異常診断および初期化が完了次第、ＯＳの起動などの通常通りの起動処理を進行する（ＳＴ１０７）。
【００２３】
一方、タッチパネルコントローラ９から通知があった場合、ＣＰＵ２は、タッチパネル１５が押下されたと判断し（ＳＴ１０６のＹｅｓ）、ＲＡＭ５に形成されたフラグＦの値を“１”にセットするとともに（ＳＴ１０８）、タイマ６による計時を開始する（ＳＴ１０９）。
【００２４】
しかる後、ＣＰＵ２は、再度タッチパネル１５が押下されているか否かを判断する（ＳＴ１１０）。このとき既にユーザがＰＯＳＴ画面４０の押下を中断している場合には、タッチパネルコントローラ９からの通知がない。かかる場合、ＣＰＵ２は、タッチパネル１５が押下されていないと判断し（ＳＴ１１０のＮｏ）、上記フラグＦの値を“０”にセットする（ＳＴ１１１）。
【００２５】
このようにタッチパネル１５の押下を確認した後、ＣＰＵ２は、フラグＦの値が“１”にセットされているか否かを判断する（ＳＴ１１２）。上記のように既にユーザがＰＯＳＴ画面４０の押下を中断している場合にはフラグＦが“０”にセットされている。このとき、ＣＰＵ２は、フラグＦの値が“１”にセットされていないと判断し（ＳＴ１１２のＮｏ）、ＰＯＳＴ３２による各デバイスの異常診断および初期化が完了次第、通常通りの起動処理を進行する（ＳＴ１０７）。
【００２６】
一方、ユーザがＰＯＳＴ画面４０の押下を継続している場合には、フラグＦの値が“１”にセットされたままである。したがって、ＣＰＵ２は、フラグＦが“１”にセットされていると判断する（ＳＴ１１２のＹｅｓ）。かかる場合、ＣＰＵ２は、タイマ６による計時時間と、ＢＩＯＳ−ＲＯＭ３のセキュア領域３１に設けられたタップ時間設定エリア３５に設定されているタップ時間とを比較し、タイマ６による計時時間がタップ時間設定エリア３５に設定されたタップ時間を経過しているか否かを判断する（ＳＴ１１３）。タイマ６による計時時間がタップ時間設定エリア３５に設定されたタップ時間を経過していない場合（ＳＴ１１３のＮｏ）、ＣＰＵ２は、再び上記ＳＴ１１０〜ＳＴ１１３の処理を繰り返す。
【００２７】
ユーザがＰＯＳＴ画面４０の押下を継続していると、やがてタイマ６による計時時間がタップ時間設定エリア３５に設定されたタップ時間に達する。かかる場合、ＣＰＵ２は、タイマ６による計時時間がタップ時間設定エリア３５に設定されたタップ時間を経過したと判断し（ＳＴ１１３のＹｅｓ）、パスワード認証処理へ移行する。
【００２８】
なお、タイマ６およびフラグＦを用いてタッチパネル１５の押下（タッチパネル入力）の継続時間を計時する処理は、本実施形態における計時手段を構成する。
【００２９】
続いて、上記パスワード認証処理について説明する。  
図５は、パスワード認証処理にてＢＩＯＳ３０の制御の下、ＣＰＵ２が実行する処理の流れ図である。
【００３０】
当該処理の開始当初において、ＣＰＵ２は、タッチパネル１５のキャリブレーションを実行する（ＳＴ２０１）。キャリブレーションとは、表示部１４の表示座標とタッチパネル１５の操作位置座標とのズレを確認し、補正する処理である。
【００３１】
具体的には、表示部１４の表示画面上の所定位置、例えば４隅に検査マークを表示し、ユーザにそれぞれの検査マークを押下させる。このとき、タッチパネル１５が操作位置に応じて出力する電気信号に基づいてタッチパネルコントローラ９が算出したそれぞれの検査マークの操作位置座標と、予めＢＩＯＳ３０に設定されている操作位置座標とを比較し、補正可能な誤差の範囲内であればそのズレを補正するための補正値を算出してタッチパネルコントローラ９に設定する。補正値の設定を受けた後のタッチパネルコントローラ９は、タッチパネル１５から出力された電気信号から算出される操作位置座標を当該補正値にて補正した値をＣＰＵ２に通知する。一方、タッチパネルコントローラ９が算出したそれぞれの検査マークの操作位置座標と、予めＢＩＯＳ３０に設定されている操作位置座標とが補正可能な誤差の範囲内にない場合には、補正値の算出および設定は行わない。
【００３２】
タッチパネル１５のキャリブレーションを行った後、ＣＰＵ２は、キャリブレーション結果は正当であったか否か、すなわち上記誤差が補正可能な範囲内にあったか否かを判断する（ＳＴ２０２）。上記誤差が補正可能な範囲内になかった場合には、キャリブレーション結果が正当でなかったと判断し（ＳＴ２０２のＮｏ）、表示コントローラ８を介して表示部１４にその旨を報知するエラーメッセージを表示して起動処理をリセットするなどのエラー処理を実行する。
【００３３】
一方、上記誤差が補正可能な範囲内にあった場合には、キャリブレーション結果が正当であったと判断し（ＳＴ２０２のＹｅｓ）、ＣＰＵ２は、ＢＩＯＳ−ＲＯＭ３のセキュア領域３１に記憶されたパスワード設定エリア３４にパスワードが設定されているか否かを判断する（ＳＴ２０３）。パスワード設定エリア３４にパスワードが設定されている場合（ＳＴ２０３のＹｅｓ）、ＣＰＵ２は、表示コントローラ８を介して表示部１４に図６に示したＳ／Ｗキーボード５０を表示する。Ｓ／Ｗキーボード５０は、アルファベット（“ａ”〜“ｚ”）キーおよびスペース（“ｓｐａｃｅ”）キーを有する入力キー群５１と、入力キー群５１のうちユーザにより操作されたキーに相当する文字列を表示するパスワード表示欄５２とを備えている。
【００３４】
かかる構成のＳ／Ｗキーボード５０が表示部１４に表示された状態において、ＣＰＵ２は、Ｓ／Ｗキーボード５０のタッチ操作によるパスワードの入力を受け付けている（ＳＴ２０５）。ユーザの操作により所定文字数のパスワードが入力されたことを確認したとき（ＳＴ２０６）、ＣＰＵ２は、入力されたパスワードとパスワード設定エリア３４に設定されたパスワードとを対比し、それらが一致するか否かを判断する（ＳＴ２０７）。入力されたパスワードとパスワード設定エリア３４に設定されたパスワードが一致しない場合（ＳＴ２０７のＮｏ）、ＣＰＵ２は、パスワード不一致を報知するメッセージを表示部１４に表示するとともに入力されたパスワードをクリアして再びパスワードの入力を受け付ける（ＳＴ２０５）。
【００３５】
一方、入力されたパスワードとパスワード設定エリア３４に設定されたパスワードが一致する場合（ＳＴ２０７のＹｅｓ）、ＣＰＵ２は、表示コントローラ８を介して表示部１４を制御し、Ｓ／Ｗキーボード５０を表示画面上から消去する（ＳＴ２０８）。しかる後、ＣＰＵ２は、セットアッププログラム３３を実行する（ＳＴ２０９）。
【００３６】
一方、パスワード設定エリア３４にパスワードが設定されていない場合には（ＳＴ２０３のＮｏ）、Ｓ／Ｗキーボード５０の表示などを行うことなくセットアッププログラム３３を実行する（ＳＴ２０９）。
【００３７】
なお、Ｓ／Ｗキーボード５０を表示部１４に表示してタッチパネル１１５の接触操作によるパスワードの入力を受け付ける処理は、本実施形態におけるパスワード受付手段を構成する。
【００３８】
セットアッププログラム３３を実行した後、当該プログラム３３の制御下にて表示部１４にＢＩＯＳセットアップメニュー画面が表示される。ユーザは、当該画面のタッチ操作により、上述したＢＩＯＳ３０に関する各種のセットアップが実行可能である。なお、パスワード設定エリア３４に設定されたパスワードの変更またはタップ時間設定エリア３５に設定されたタップ時間の変更などのセキュア領域３１に関する設定も当該画面を介して行う。
【００３９】
ＢＩＯＳセットアップメニュー画面を介して各種のセットアップが指示された状態で当該画面の所定のタッチ操作によりＢＩＯＳセットアップの完了が宣言された場合には、指定を受け付けたセットアップの内容にてＢＩＯＳ−ＲＯＭ３の各領域が更新される。そして、ＰＯＳ端末１の起動処理を中断してシステムを再起動し、更新内容が反映された状態にて起動処理が行われる。
【００４０】
なお、図３および図５を用いて説明したＣＰＵ２が実行するセットアッププログラム３３を実行するまでの各処理は、本実施系形態におけるセットアッププログラム実行手段を構成する。
【００４１】
以上説明したように、本実施形態におけるＰＯＳ端末１は、システムの起動処理の実行中であってＰＯＳＴ画面４０が表示部１４に表示されている間にタッチパネル１５からの入力が検知されたことに応じてＢＩＯＳ３０のセットアッププログラムを実行する。したがって、いちいち機械式のキーボードをＰＯＳ端末１に接続するなどの作業が不要となるので、ＢＩＯＳセットアップに時間をとられ、顧客への対応が大幅に遅れるような事態を防止することができる。
【００４２】
また、タッチパネル１５の押下の継続時間がタップ設定エリア３５に設定されたタップ時間を経過するまでセットアッププログラム３３は実行されない。したがって、タップ時間設定エリア３５に設定されたタップ時間を知らない者はセットアッププログラムを実行することができないので、セキュリティ性を向上させることができる。かかる効果は、パスワード設定エリア３４にパスワードを設定することでより高めることができる。
【００４３】
また、タップ時間設定エリア３５に比較的長いタップ時間を設定しておけば、誤ってタッチパネル１５に短時間接触した程度ではセットアッププログラム３３は実行されない。したがって、ユーザの誤操作によりセットアッププログラム３３が実行されるような事態を防止することができる。
【００４４】
なお、この発明は、前記実施形態そのままに限定されるものではなく、実施段階においてはその要旨を逸脱しない範囲内において各構成要素を適宜変形して具体化することができる。
【００４５】
例えば、上記実施形態においては、本発明をＰＯＳ端末１に適用した場合について説明したが、これに限定されずに本発明を他の種類の情報処理装置に適用してもよいことは言うまでもない。
【００４６】
また、上記実施形態においては、タッチパネル１５がタップ時間設定エリア３５に設定されたタップ時間以上継続して押下されたことを条件にセットアッププログラム３３が実行されるとしたが、タッチパネル１５からの入力を利用した他の条件を設定することも可能である。一例として、所定回数連続してタッチパネル１５が押下された場合にセットアッププログラム３３を実行する方法を採用し得る。この場合、タップ時間設定エリア３５に代えて上記所定回数の設定エリアを設け、起動処理にてＰＯＳＴ画面４０が押下された回数をカウントする。そして、カウントが上記所定回数の設定エリアに設定された回数に達した場合にセットアップメニューを実行するようにする。このようにした場合であっても、上記実施形態と同様の効果を得ることができる。
【００４７】
この他、前記実施形態に開示されている複数の構成要素の適宜な組合せにより種々の発明を形成することができる。
【符号の説明】
【００４８】
１…ＰＯＳ端末、２…ＣＰＵ、６…タイマ、１３…タッチパネル付き表示器、１４…表示部、１５…タッチパネル、３０…ＢＩＯＳ、３１…セキュア領域、３２…ＰＯＳＴ、３３…セットアッププログラム、３４…パスワード設定エリア、３５…タップ時間設定エリア
【先行技術文献】
【特許文献】
【００４９】
【特許文献１】特開２０００−２９８５７９号公報
【図１】
2010250614.tif 000003
【図２】
2010250614.tif 000004
【図３】
2010250614.tif 000005
【図４】
2010250614.tif 000006
【図５】
2010250614.tif 000007
【図６】
2010250614.tif 000008